(57)【要約】【課題】ドアシューを介さずに敷居溝から異物を排出することによりエレベータドアの故障の発生頻度を低減できるエレベータドア敷居溝の異物排出装置を提供する。【解決手段】エレベータドア敷居溝の異物排出装置５０は、乗り場扉２３の下端部に取り付けられたドアシュー３８，３９がスライドする敷居溝４２，４４への異物の混入を防止する装置であり、敷居溝４２，４４の長手方向における両端部の外側に設置されたローラユニット５１，５４と、敷居溝４２，４４の敷居４０の上面よりも下側となる位置を覆うように形成された排出ベルト５６，５８から成り、乗り場扉２３の開閉動作に連動して敷居溝４２，４４に対して往復移動して異物を敷居溝４２，４４の外へ排出する排出ベルト５６，５８と、を備えている。【選択図】図６
2016204137.tif 000002
【特許請求の範囲】
【請求項１】
エレベータドアの下端部に設けられたドアシューがスライドする敷居溝への異物の混入を防止する装置であって、
前記敷居溝の長手方向における両端部の外側に回転可能に設けられたローラと、
前記敷居溝の敷居上面よりも下側となる位置を覆うように前記ローラの間に架け渡されるとともに、前記ドアシューを前記敷居溝に挿入するための開口部が形成されたベルトから成り、前記エレベータドアの開閉動作に連動して前記敷居溝に対して往復移動して異物を前記敷居溝外へ排出する排出ベルトと、
を備えたことを特徴とするエレベータドア敷居溝の異物排出装置。
【請求項２】
請求項１に記載のエレベータドア敷居溝の異物排出装置において、
前記ベルトに接触するように配置された清掃ブラシと、
前記清掃ブラシを囲むように配置されたダストボックスと、
をさらに備えていることを特徴とするエレベータドア敷居溝の異物排出装置。
【請求項３】
請求項１または２に記載のエレベータドア敷居溝の異物排出装置において、
前記ベルトの幅方向における両端部は、前記敷居溝の両側面に設けられたガイド溝に前記敷居溝の長手方向に沿って移動可能に挿入されていることを特徴とするエレベータドア敷居溝の異物排出装置。
【発明の詳細な説明】
【技術分野】
【０００１】
本発明は、エレベータドア敷居溝の異物排出装置、特に、敷居溝に異物が混入することを防止する装置に関する。
【背景技術】
【０００２】
一般に、乗り場側およびかご側のエレベータドアは、いずれも乗降口の直上方に配置されたハンガーレールに吊り下げられるとともに、下端部に取り付けられたドアシューが敷居溝をスライドして開閉するように構成されている。このようなエレベータの中で、敷居溝に小石等の異物が入り込むと開閉時に異物がエレベータドアに挟まって故障の原因となるため、異物を昇降路へ落し込むための貫通孔を敷居溝に設けているエレベータも多い。
【０００３】
特許文献１には、敷居溝中央に異物排出用の貫通孔を設けておき、エレベータドアの戸閉動作に伴ってドアシューが敷居溝に入り込んだ異物を貫通孔へ押し出して排出するとともに、完全に戸開した状態ではエレベータドアの開閉動作に連動して敷居溝を往復移動するベルトが上記貫通孔を塞ぐことにより、利用者の落し物等が貫通孔から昇降路内に落下することを防止するエレベータドアの異物排出装置が開示されている。
【先行技術文献】
【特許文献】
【０００４】
【特許文献１】特開２０１０-２６０６９９号公報
【発明の概要】
【発明が解決しようとする課題】
【０００５】
上記特許文献１に開示されたエレベータドアの異物排出装置では、戸開時に敷居溝に入り込んだ小石等の異物をドアシューによって敷居溝内を貫通孔まで押し出して排出するため、敷居溝とドアシューとの間に異物が挟まれ易くエレベータドアが故障し易いという問題がある。
【０００６】
本発明の目的は、ドアシューを介さずに敷居溝から異物を排出することによりエレベータドアの故障の発生頻度を低減できるエレベータドア敷居溝の異物排出装置を提供することにある。
【課題を解決するための手段】
【０００７】
本発明に係るエレベータドア敷居溝の異物排出装置は、エレベータドアの下端部に設けられたドアシューがスライドする敷居溝への異物の混入を防止する装置であって、敷居溝の長手方向における両端部の外側に回転可能に設けられたローラと、敷居溝の敷居上面よりも下側となる位置を覆うようにローラの間に架け渡されるとともに、ドアシューを敷居溝に挿入するための開口部が形成されたベルトから成り、エレベータドアの開閉動作に連動して敷居溝に対して往復移動して異物を敷居溝外へ排出する排出ベルトと、を備えたことを特徴とするものである。
【０００８】
本発明に係るエレベータドア敷居溝の異物排出装置において、ベルトに接触するように配置された清掃ブラシと、清掃ブラシを囲むように配置されたダストボックスと、をさらに備えていることが好適である。
【０００９】
本発明に係るエレベータドア敷居溝の異物排出装置において、ベルトの幅方向における両端部は、敷居溝の両側面に設けられたガイド溝に敷居溝の長手方向に沿って移動可能に挿入されていることが好適である。
【発明の効果】
【００１０】
本発明に係るエレベータドア敷居溝の異物排出装置によれば、敷居溝に入り込んだ小石等の異物はエレベータドアの開閉動作に連動して敷居溝を往復移動する排出ベルトによって敷居溝外へ排出され、ドアシューを介さずに敷居溝から異物を排出することができる。その結果、ドアシューと敷居溝との間に異物が挟まり難くエレベータドアにおける故障の発生頻度を低減できる。
【図面の簡単な説明】
【００１１】
【図１】本発明に係る実施の形態であるエレベータドア敷居溝の異物排出装置を備えたエレベータの全体構成を示す図である。
【図２】図１に示す戸閉状態における乗り場扉の昇降路側の構成を示す図である。
【図３】図２に示す乗り場扉の戸開時の状態を示す図である。
【図４】図３に示すＡ-Ａ断面の断面構成を示す図である。
【図５】図４に含まれる敷居溝周辺の断面構成を示す部分拡大図である。
【図６】図２に含まれるエレベータドア敷居溝の異物排出装置の全体構成を示す図である。
【図７】図６に示すＢ−Ｂ断面におけるドアシュー、敷居、および、排出ベルトの構成を示す図である。
【図８】図６に示すＣ方向から見た排出ベルトおよびダストボックスの構成を示す図である。
【図９】本発明の実施の形態であるエレベータドア敷居溝の異物排出装置の変形例の構成を示す図である。
【発明を実施するための形態】
【００１２】
以下に、本発明に係る実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１３】
図１は、本発明に係る実施の形態であるエレベータドア敷居溝の異物排出装置が適用されるエレベータ１０の全体構成を示す図である。図1では、乗りかご及びカウンタ錘をそれぞれ上下方向に移動自在に支持するガイドレールの図示を省略している。
【００１４】
エレベータ１０は、巻上機１２、乗りかご１４、カウンタ錘１６、主ロープ１８、および、乗り場扉２３を備えている。巻上機１２は、図示した実施形態では、昇降路Ｓの下端側であるピットＰに配置されている。巻上機１２は、主ロープ１８を介して乗りかご１４およびカウンタ錘１６を相対的に昇降させる。
【００１５】
乗りかご１４は、人または荷物を載せて昇降する機能を有し、吊車１４ａが主ロープ１８を架け渡すために乗りかご１４の天井に設けられている。乗りかご１４の開閉扉１４ｂは片開き方式の扉であり、乗り場扉２３と対向する前面側に設けられている。
【００１６】
カウンタ錘１６は、巻上機１２が乗りかご１４を引き揚げるときの負荷を軽減するための釣り合い重りである。
【００１７】
主ロープ１８は、その一端が昇降路Ｓの天井Ｒにボルト等で固定され垂下して乗りかご１４の吊車１４ａを経てから天井Ｒの返し車１８ａを経由し下方に位置する巻上機１２に至るように架け渡されている。また、主ロープ１８の他端も巻上機１２から天井Ｒの返し車１８ｂを経由して下方のカウンタ錘１６の吊車１６ａに架け渡されてから昇降路Ｓの天井Ｒにボルト等で固定されている。
【００１８】
なお、本実施形態では、巻上機１２がピットＰに配置される構成のエレベータ１０を例に挙げて説明しているが、本発明はこれに限定されるものではない。例えば、昇降路Ｓの直上に設けられた機械室内に巻上機１２が配置されるエレベータにも適用することができる。
【００１９】
図２は、図１に示す乗り場扉２３の戸閉状態における昇降路Ｓの方から見た構成を示す図である。図３は、図２に示す乗り場扉２３の戸開時の構成を示す図である。図４は、図３に示すＡ-Ａ断面を示す図である。各階のエレベータの乗降口２０には、例えば乗り場Ｈの方から見て戸閉め方向が右方向である片開き方式の乗り場扉２３が設置されている。
【００２０】
乗り場扉２３は、高速扉２４と低速扉２５とから構成されている。高速扉２４および低速扉２５は、乗降口２０の直上方の壁面に固定されたハンガーレール２６，２７に吊り下げ用ローラ対３２，３４を介して左右方向に移動可能にそれぞれ吊り下げられている。
【００２１】
本実施形態では、乗り場扉２３が２枚扉である例を挙げているが、乗り場扉は１枚扉であってもよいし、３枚以上の扉によって構成されていてもよい。
【００２２】
ハンガーレール２６，２７は長尺板状の鋼材であり、昇降路Ｓの奥側と壁側とに互いに平行を成すように配置されており、固定金具２８，２９を介して昇降路Ｓの壁面Ｗに設けられたハンガーケース３０に両端を固定支持されている。
【００２３】
吊り下げ用ローラ対３２は、上下からハンガーレール２６を挟み込むように高速扉２４の上端に設けられたドアハンガ３３の両端側にそれぞれ配置されている。吊り下げ用ローラ対３４は、吊り下げ用ローラ対３２と同様に、低速扉２５の上端に設けられたドアハンガ３５の両端側にそれぞれ配置されている。
【００２４】
高速扉２４の下端部にはドアシュー３８を連結するための連結部２４ａ，２４ｂが両端側に設けられており、各連結部２４ａ，２４ｂは図示しないボルト等によって後述する排出ベルトよりも下側に位置するドアシュー３８に連結されている。なお、図には詳細に示していないが、ドアシュー３８には固定用金具が連結部２４ａ，２４ｂに沿うように上方に突き出しており、後述する排出ベルトよりも上方の位置でボルトによって連結部２４ａ，２４ｂに固定されている。同様に、低速扉２５の下端部にもドアシュー３９を連結するための連結部２５ａ，２５ｂが設けられており、各連結部２５ａ，２５ｂはドアシュー３９に固定用金具を介して連結されている。また、敷居４０の上面には長手方向に沿って敷居溝４２，４４が形成されており、敷居溝４２，４４にはドアシュー３８，３９がスライド可能に配置されている。敷居溝４２，４４の両側面には長手方向に沿ってガイド溝４６，４８が形成されている。各ガイド溝４６，４８は、後述する排出ベルトを敷居溝４２，４４の長手方向に沿って案内する機能を有している。本実施形態では、ガイド溝４６，４８を敷居溝４２，４４の両側面に設けているが、いずれか一方の側面だけに設けるようにしてもよい。
【００２５】
各階の高速扉２４は、乗りかご１４が対応階に来た時に作動する係合部（不図示）を有し、この係合部が乗りかご１４の開閉扉１４ｂに係合することによって開閉する。低速扉２５は、図示しないロープおよび動滑車等からなる連動機構を介して高速扉２４に連結されており、その移動距離および速度が高速扉２４の半分になるように設定されている。上記構成により、戸閉時には、高速扉２４が乗り場Ｈのほうから見て乗降口２０の右端側から中央までを遮蔽し、低速扉２５が高速扉２４の半分の距離だけスライドして乗降口２０の中央部から左端側までを遮蔽する。
【００２６】
図５は、敷居溝４２，４４周辺の構成を示す断面図である。図６は、エレベータドア敷居溝の異物排出装置５０の全体構成を示す図である。図７は、図６に示すＢ−Ｂ断面におけるドアシュー３８，３９、敷居４０、および、排出ベルトの構成を示す図である。図８は、図６に示すＣ方向から見た排出ベルトとダストボックスの構成を示す図である。エレベータ１０は、敷居溝４２，４４に入り込んだ小石等の異物を排出するエレベータドア敷居溝の異物排出装置５０を備えている。異物排出装置５０は、敷居４０の両端にそれぞれ配置されたローラユニット５１，５４、ローラユニット５１，５４の間に架け渡された排出ベルト５６，５８、および、排出ベルト５６，５８が自重で撓まないように支持する複数の支持ローラユニット６０を備えている。
【００２７】
ローラユニット５１は、敷居４０の一端に隣接するように配置されており、ローラ５２，５３から構成されている。ローラ５２，５３は、昇降路Ｓの壁面Ｗに設けられた支持軸５５によって同軸上で回転自在に支持されており、後述する排出ベルト５６，５８が脱落しないように外周面の両端部が径方向に突き出すフランジ形状をそれぞれ有している。一方、ローラユニット５４は、敷居４０の他端に隣接するように配置されており、ローラユニット５１と同一の構成を有している。
【００２８】
排出ベルト５６，５８は、同一の構成を備えているため、以下の説明では、排出ベルト５８についてのみ説明を行い、排出ベルト５６については適宜説明を省略するものとする。
【００２９】
排出ベルト５８はローラユニット５１のローラ５３と，ローラユニット５４のローラの間に敷居４０を囲むように掛け渡された無端ベルトであり、図５に示すように、その幅方向の両端部は敷居溝４４のガイド溝４８に長手方向に沿って移動可能に挿入され、敷居溝４４の上面を覆うように配置されている。これにより、敷居溝４４の中に小石等の異物が入り込まないようにしている。また、敷居４０の上面の位置よりも低い位置に排出ベルト５８を配置することで乗客に踏まれないようにできるため、排出ベルト５８の摩耗を低減できる。
【００３０】
上記構成のようにガイド溝４８に沿って排出ベルト５８を移動させることにより排出ベルト５８が浮き上がらないようにすることができる。また、排出ベルト５８はポリエチレンや塩化ビニール等の帯電し易い素材を用いてもよい。これにより、塵埃が排出ベルト５８に付着し易く敷居４０の周辺の塵埃を効率良く取り除くことができる。
【００３１】
排出ベルト５８には、図７に示すように、上述した低速扉２５の連結部２５ａ，２５ｂの位置に対応して略長方形状の開口部５８ａ，５８ｂが形成されている。また、保守点検時等にドアシュー３９を交換する場合には、上述した固定用金具を固定しているボルトを取り外すことによってドアシュー３９を連結部２５ａ，２５ｂから切り離すとともに開口部５８ａ，５８ｂから取り出す必要がある。
【００３２】
そのため、開口部５８ａ，５８ｂは、直下方のドアシュー３９よりも低速扉２５の両端部寄りの位置まで形成されるとともに、その大きさもドアシュー３９より大きく形成されている。このように構成することにより、連結部２５ａ，２５ｂから取り外したドアシュー３９を低速扉２５の端部側へスライドさせることによって取り出しやすくしている。
【００３３】
また、開口部５８ａ,５８ｂの内側側面は、連結部２５ａ，２５ｂの内側端面に当接する位置にそれぞれ形成されている。このため、低速扉２５の移動に伴って、連結部２５ａ，２５ｂのうちどちらか一方に押されて排出ベルト５８が敷居溝４４に沿って移動する。このようにして、排出ベルト５８の移動を低速扉２５の移動に同期させることができる。なお、開口部５８ａ,５８ｂの外側側面が連結部２５ａ，２５ｂの外側端面にそれぞれ当接するようにしてもよい。この場合にも低速扉２５の移動に同期して排出ベルト５８を移動させることができる。
【００３４】
支持ローラユニット６０は、図６に示すように、敷居４０の直下方に等間隔に複数配置されている。各支持ローラユニット６０は、図５に示すように、排出ベルト５６，５８に対応するように壁面Ｗに固定された支持棒６１に回転自在に支持された支持ローラ６２，６３を有している。各支持ローラ６２，６３は、排出ベルト５６，５８の下面側を接触支持している。これにより、排出ベルト５６，５８が自重で撓まないようにしている。
【００３５】
図８に示すように、異物排出装置５０は、排出ベルト５６，５８の表面に付着した塵埃等を掻き落とすための清掃ブラシ６４，６５と、清掃ブラシ６４，６５が掻き落した塵埃や小石等の異物を回収するためのダストボックス７０とを備えている。
【００３６】
清掃ブラシ６４，６５は、図８に示すように、ローラユニット５１のローラ５２，５３の直下方に配置されており、ダストボックス７０の底面に固定支持された基部６６，６７と、基部６６，６７の上面に設けられたブラシ６８，６９とから構成され、ブラシ６８，６９の先端が排出ベルト５６，５８の表面に接触するように配置されている。ブラシ６８，６９は、ガラス繊維を含むナイロン等の素材を用いてもよい。
【００３７】
このように、ブラシ６８，６９を正極に帯電し易いガラス繊維を含むナイロン素材とし、排出ベルト５６，５８を上述したように負極に帯電し易いポリエチレンや塩化ビニール等の素材とした場合には、排出ベルト５６，５８に静電気の力で付着した塵埃がブラシ６８，６９に吸着し易くなり効率良く塵埃を回収することができる。
【００３８】
ローラユニット５４の直下方にも清掃ブラシが配置されており、上述した清掃ブラシ６４，６５と同一の構成を備えるものであるため詳細な説明を省略する。
【００３９】
ダストボックス７０は清掃ブラシ６４，６５を囲むように、上面が開口した箱形状を呈しており、壁面Ｗに固定されたブラケット７４にボルト７６およびナット７８を介して着脱可能に固定されている。これにより、ダストボックス７０を取り外して中に溜まっている小石等の異物を回収することができる。ローラユニット５４の直下方にもダストボックスが配置されており、上述したダストボックス７０と同一の構成を備えるものであるため説明を省略する。
【００４０】
なお、ダストボックス７０を回転自在に支持する回転軸を壁面Ｗにさらに設けてもよい。これにより、上記のボルト７６を取り外してからダストボックス７０を回転軸周りに回転させて逆さまにして中に溜まっている異物を回収用のビニール袋等で受けて回収することができる。この場合には、ダストボックス７０を昇降路Ｓへ誤って落とすことがないという利点がある。
【００４１】
本発明に係るエレベータドア敷居溝の異物排出装置５０によれば、敷居溝４２，４４に入り込んだ小石等の異物は乗り場扉２３の開閉動作に連動して敷居溝４２，４４を往復移動する排出ベルト５６，５８によって敷居溝４２，４４の外へ排出される。その結果、ドアシュー３８，３９と敷居溝４２，４４との間に異物が挟まり難く乗り場扉２３における故障の発生頻度を低減できる。
【００４２】
上記実施形態では、エレベータドア敷居溝の異物排出装置５０を、乗り場扉２３に設置した例を挙げて説明したが、乗りかご１４の開閉扉１４ｂに設置するようにしてもよい。
【００４３】
図９は、上述した異物排出装置５０の変形例であるエレベータドア敷居溝の異物排出装置８０の構成を示す図である。以下の説明において、異物排出装置５０と同一の構成については説明を適宜省略し、構成の異なる部分についてのみ説明を行うものとする。また、異物排出装置５０と同一の構成部分については同一の符号を付して説明を行う。
【００４４】
異物排出装置８０の排出ベルト５６，５８は、敷居８１の敷居溝８２，８４を覆うように配置されている。排出ベルト５６，５８は、敷居溝８２，８４の上端部に形成されたガイド溝としての機能を有する窪み８６，８８に幅方向の両端部が嵌り込むように設けられている。この窪み８６，８８は、敷居８１の長手方向に沿って形成されており、その深さは排出ベルト５６，５８の厚みよりも多少深くなるように形成されている。このため、敷居８１の上面および排出ベルト５６，５８の上面の段差が目立たたないすっきりとした外観を形成することができる。また、排出ベルト５６，５８の上面は、敷居８１の上面よりも低いため排出ベルト５６，５８が利用客に踏まれることがなく、排出ベルト５６，５８の摩耗を低減することができる。
【００４５】
なお、本発明に係るエレベータドア敷居溝の異物排出装置によれば、上述した実施形態およびその変形例の構成に限定されるものではなく、本願の特許請求の範囲に記載された事項およびその均等の範囲内で種々の改良や変更が可能であることはいうまでもない。
【符号の説明】
【００４６】
１０  エレベータ、２３  乗り場扉、２４  高速扉、２５  低速扉、３８，３９  ドアシュー、４０，８１  敷居、４２，４４，８２，８４  敷居溝、４６，４８  ガイド溝、５０，８０  異物排出装置、５１，５４  ローラユニット、５２，５３  ローラ、５６，５８  排出ベルト、５８ａ，５８ｂ  開口部、６４，６５  清掃ブラシ、７０  ダストボックス、８６，８８  窪み、Ｈ  乗り場、Ｓ  昇降路、Ｗ  壁面。
【図１】
2016204137.tif 000003
【図２】
2016204137.tif 000004
【図３】
2016204137.tif 000005
【図４】
2016204137.tif 000006
【図５】
2016204137.tif 000007
【図６】
2016204137.tif 000008
【図７】
2016204137.tif 000009
【図８】
2016204137.tif 000010
【図９】
2016204137.tif 000011